(57)【要約】【課題】  予め定めた減衰力を安価に、且つ、確実に発生させることのできる油圧緩衝器の減衰力発生バルブ構造を提供する。【解決手段】  伸側又は圧側ポート６ａ，６ｂが穿設されたピストン部又はベースバルブ部のバルブボディ６と、このバルブボディ６に載置されて上記伸側又は圧側ポート６ａ，６ｂを開閉可能にシートする１枚又は複数枚のリーフバルブ５，７とを備え、上記バルブボディ６の伸側又は圧側ポート６ａ，６ｂの開口端部に上記リーフバルブ載置用のシート面１５，１６を設けた油圧緩衝器の減衰力発生バルブ構造において、上記シート面１５にはチョーク溝１７と、このチョーク溝１７に伸側又は圧側ポート６ａ，６ｂ側から連通するポート側連通溝１８と、チョーク溝１７から上記の伸側又は圧側ポート６ａ，６ｂ外側へ連通する外側連通溝１９とを設け、これらチョーク溝１７、ポート側連通溝１８及び外側連通溝１９と、このシート面１５に載置されるリーフバルブ７ａとでチョーク通路Ｔを形成した。【選択図】        図１
2006144951.tif 000002
【特許請求の範囲】
【請求項１】
伸側又は圧側ポートが穿設されたピストン部又はベースバルブ部のバルブボディと、このバルブボディに載置されて上記伸側又は圧側ポートを開閉可能にシートする１枚又は複数枚のリーフバルブとを備え、上記バルブボディの伸側又は圧側ポートの開口端部に上記リーフバルブ載置用のシート面を設けた油圧緩衝器の減衰力発生バルブ構造において、上記シート面にはチョーク溝と、このチョーク溝に伸側又は圧側ポート側から連通するポート側連通溝と、チョーク溝から上記の伸側又は圧側ポート外側へ連通する外側連通溝とを設け、これらチョーク溝、ポート側連通溝及び外側連通溝と、このシート面に載置されるリーフバルブとでチョーク通路を形成したことを特徴とする油圧緩衝器の減衰力発生バルブ構造。
【請求項２】
ピストン部のバルブボディに穿設された伸側ポートは同一円周上に所定間隔をおいて複数個配置されると共に、各伸側ポートはバルブボディに形成された伸側環状溝で連通され、この伸側環状溝の内周側及び外周側に夫々環状の内側シート面と、外側シート面とを形成し、この外側シート面に上記のチョーク溝、ポート側連通溝及び外側連通溝を形成した請求項１記載の油圧緩衝器の減衰力発生バルブ構造。
【請求項３】
環状をなす外側シート面に形成されたチョーク溝はこのシート面に沿って環状に形成されている請求項２記載の油圧緩衝器の減衰力発生バルブ構造。
【請求項４】
チョーク溝に連通するポート側連通溝と、外側連通溝とを互いに対向しないように円周方向に離間して配置した請求項１、２又は３記載の油圧緩衝器の減衰力発生バルブ構造。
【発明の詳細な説明】
【技術分野】
【０００１】
本発明は、自動車等の車両のサスペンション装置に用いられる油圧緩衝器に関わり、詳しくは、油圧緩衝器におけるピストン部又はベースバルブ部に設けられるリーフバルブを用いた減衰力発生バルブ構造に関する。
【背景技術】
【０００２】
自動車等の車両のサスペンション装置に用いられる油圧緩衝器は、走行中に路面から車体へ伝達される振動を適切に緩和して乗心地、操安性を向上させるために、そのピストン部又はベースバルブ部に減衰力発生用のバルブ構造を設けている。
【０００３】
この具体的構造としては、種々のものを例示することができるが、例えば、ピストン速度の微低速域における減衰力を高めて操安性、乗り心地を向上させるようにしたものとしては特許文献１に示す油圧緩衝器の減衰力発生バルブ構造を例示することができる。
【０００４】
即ち、ピストン部に対して複数枚の円盤状をなすリーフバルブが積層した状態で配置されるとともに、これら複数のリーフバルブのうち、ピストン部に穿設したポートを開閉自在とするオリフィスを備えた第１のリーフバルブと、第１のリーフバルブに積層され、円周方向に等間隔を持って設けた３個の円弧状長孔を持った第２及び第３のリーフバルブと、この第３のリーフバルブに積層された第４のリーフバルブとで構成されており、これら第１〜３のリーフバルブの積層構造によって第４のリーフバルブを撓ませるための減衰力発生用油路が形成されている。
【０００５】
従って、油圧緩衝器の伸縮時におけるピストン速度の微低速時には、上記減衰力発生用油路を通過した作動油はこのこの第４のリーフバルブを撓ませることで上記した高い減衰力を発生する。
【特許文献１】特開２００１―１６５２２４号公報（段落番号００２４から段落番号００２７及び図１）
【発明の開示】
【発明が解決しようとする課題】
【０００６】
上記のように構成された減衰力発生バルブにおいては、特に問題がある訳ではないが、以下に示す点において課題の発生が考えられる。
【０００７】
即ち、ピストン速度の微低速時には、上記ポートを通過した作動油が上記減衰力発生用油路を通過することで予め定めた高い減衰力を発生させるので、上記第１〜３のリーフバルブが確実に密着して油路を形成していないと、リーフバルブ同士の積層隙間から作動油が漏れたり、その漏れに起因する第４のリーフバルブ以外のリーフバルブの撓みが生じたりして予め定めた減衰力を発生しない場合が想定される。
【０００８】
このため、上記第１〜４のリーフバルブ自体を高い加工精度で製造するのは勿論、４枚のリーフバルブを積層する際にも高い組付精度が必要となる。
【０００９】
従って、リーフバルブ自体の製造コストや、リーフバルブを積層する組付コストが嵩み、ひいては油圧緩衝器自体の製造コストが嵩むという問題点があった。
【００１０】
そこで、本発明の目的は、予め定めた減衰力を安価に且つ、確実に発生させることのできる油圧緩衝器の減衰力発生バルブ構造を提供することである。
【課題を解決するための手段】
【００１１】
上記の目的を達成するため、本発明は、伸側又は圧側ポートが穿設されたピストン部又はベースバルブ部のバルブボディと、このバルブボディに載置されて上記伸側又は圧側ポートを開閉可能にシートする１枚又は複数枚のリーフバルブとを備え、上記バルブボディの伸側又は圧側ポートの開口端部に上記リーフバルブ載置用のシート面を設けた油圧緩衝器の減衰力発生バルブ構造において、上記シート面にはチョーク溝と、このチョーク溝に伸側又は圧側ポート側から連通するポート側連通溝と、チョーク溝から上記の伸側又は圧側ポート外側へ連通する外側連通溝とを設け、これらチョーク溝、ポート側連通溝及び外側連通溝と、このシート面に載置されるリーフバルブとでチョーク通路を形成したことを特徴とするものである。
【発明の効果】
【００１２】
本発明によれば、シート面に設けたチョーク溝、ポート側連通溝及び外側連通溝と、このシート面に載置されるリーフバルブとでチョーク通路が形成されるので、従来のように３枚のリーフバルブを積層して減衰力発生用通路を形成する必要がなくなり、リーフバルブ同士の積層隙間から作動油が漏れると言った事を無くすことができる。
【００１３】
従って、元来、高い加工精度が確保されているシート面に対して、このシート面に当接する１枚のリーフバルブの加工精度さえ確保すれば作動油洩れのないチョーク油路を形成することができるので、製造コスト、組付けコストの削減が可能となると共に、予め定めた減衰力を確実に発生させることができる。
【発明を実施するための最良の形態】
【００１４】
以下に、本発明を自動車のサスペンション装置に用いられる油圧緩衝器のピストン部に設けられた減衰力発生バルブ構造に具体化した一実施の形態を図に基づいて説明する。
【００１５】
この減衰力発生バルブ構造は、図１に示すように、ピストンロッド１のインロー部２に圧側バルブストッパ３、間座４、複数枚のリーフバルブからなる圧側減衰力発生バルブ５、圧側及び伸側ポート６ａ，６ｂを備えたピストン部のバルブボディとしてのピストン６、複数枚のリーフバルブからなる伸側減衰力発生バルブ７、間座８をこれらの中央に形成された取付孔を介して順次積層されると共に、この間座８の下方からナット１０を螺合させ、上記した各部材に前記インロー部２の基端部２ａとの間で圧縮荷重を加えて固定されている。
【００１６】
以下、更に詳述すると、上記圧側減衰力発生バルブ５は、同一径で円盤状をなす２枚のリーフバルブ５ａ、５ｂを積層することで構成されており、各リーフバルブ５ａ，５ｂの伸側ポート６ｂと対向する部分にはこの伸側ポート６ｂ内へ作動油を導くためのバルブ側開口部５ｃが設けられている。
【００１７】
又、このリーフバルブ５ａ，５ｂのバルブ側開口部５ｃと対向するバルブストッパ３にもこのバルブ側開口部５ｃに作動油を導くためのストッパ側開口部３ｃが設けられている。
【００１８】
上記伸側減衰力発生バルブ７は、同一径で円盤状をなす２枚のリーフバルブ７ａと、このリーフバルブ７ａよりも小径で同じく円盤状をなす２枚のリーフバルブ７ｂを積層することで構成されている。
【００１９】
伸側減衰力発生バルブ７でシートされる伸側ポート６ｂは、同一円周上に所定間隔をおいて複数個配置されると共に、各伸側ポート６ｂは、図１，図２に示すように、ピストン６の下面側に形成された伸側環状溝１２で連通されている。
【００２０】
又、圧側減衰力発生バルブ５でシートされる圧側ポート６ａは、上記伸側ポート６ｂの外周側に同一円周上で所定間隔をおいて複数個配置されると共に、各圧側ポート６ａはピストン６の上面側に形成された圧側環状溝１２aで連通されている。
【００２１】
上記ピストン６の伸側環状溝１２の外周側には環状をなす外側シート面１５が形成されると共に、伸側環状溝１２の内周側には同じく環状をなす内側シート面１６が形成されており、これら両シート面１５、１６に上記伸側減衰力発生バルブ７が載置されることで上記伸側ポート６ｂを開閉可能にシートするようになっている。
【００２２】
図２〜４に示すように、上記外側シート面１５には断面円弧状又は半円弧状をなすチョーク溝１７が全周に亘って形成されており、伸側ポート６ｂ側となる外側シート面１５の内周側からチョーク溝１７に連通するポート側連通溝１８と、このポート側連通路１８とは円周方向に所定距離離間したところに外側シート面１５の外周側からチョーク溝１７に連通する外側連通溝１９とが夫々設けられている。
【００２３】
従って、この外側シート面１５に伸側減衰力発生バルブ７が載置されると、この伸側減衰力発生バルブ７のうちの最も上面側となる1枚のリーフバルブ７ａと、上記ポート側連通溝１８、チョーク溝１７、外側連通溝１９とでチョーク通路Ｔが形成されると共に、油圧緩衝器の伸縮時におけるピストン速度の微低速時には、上記伸側ポート６ｂを通過した作動油は、チョーク通路Ｔを通過することでチョーク特性の所謂、高い減衰力を発生するようになっている。
【００２４】
以上のように構成された油圧緩衝器の減衰力発生バルブ構造においては、自動車の走行中におけるピストン速度の微低速時には、上記伸側ポート６ｂを通過した作動油は、図２の矢印Ｘで示すように、上記ポート側連通溝１８、チョーク溝１７、外側連通溝１９で構成されるチョーク通路Ｔを通過することでチョーク特性の所謂、高い減衰力を発生し、走安性或いは乗心地に寄与する。
【００２５】
このとき、本実施の形態では外側シート面１５に設けたポート側連通溝１８、チョーク溝１７、外側連通溝１９と、この外側シート面１５に載置される伸側減衰力発生バルブ７のうち、最も上面側となる１枚のリーフバルブ７ａとでチョーク特性を出すためのチョーク通路Ｔを形成することができるので、従来のように３枚のリーフバルブを積層して減衰力発生用通路を形成する必要がなくなり、リーフバルブ同士の積層隙間から作動油が漏れると言った虞を無くすことができる。
【００２６】
従って、元来、高い加工精度が確保されている外側シート面１５に対して、このシート面１５に当接する１枚のリーフバルブ７ａの加工精度さえ確保すれば作動油洩れのないチョーク油路Ｔを形成することができるので、製造コスト、組付けコストの削減が可能となると共に、予め定めた減衰力を確実に発生させることができる。
【００２７】
又、１枚のリーフバルブ７ａでチョーク油路Ｔが形成できるので、３枚のリーフバルブでチョーク油路を形成していた従来に比較し安価に製造できる。
【００２８】
又、チョーク溝１７を外側シート面１５に沿った環状としたので、長さを必要とする油路の確保が容易にできる。
【００２９】
又、チョーク溝１７に連通するポート側連通溝１８と、外側連通溝１９とを互いに対向しないように円周方向に離間させて設けたので、作動油をチョーク溝１７内に確実に導くことができ、予め定めた減衰力を確実に発生させることができる。
【００３０】
更には、ポート側連通溝１８と外側連通溝１９の形成位置を変更することでチョーク油路Ｔの長さを変えられるので、発生させる減衰力の変更が簡単にでき、ひいては設計の自由度を増すことができる。
【００３１】
尚、本発明は、前記実施の形態に限定されるものではなく、例えば、次のように変更して具体化することもできる。
【００３２】
１）本実施の形態では、伸側減衰力発生バルブ７をシートする外側シート面１５に本発明のチョーク溝Ｔを設けたが、これに限定されるものではなく、圧側減衰力発生バルブ５をシートする外側シート面に設けても良い。
【００３３】
２）本実施の形態では、伸側減衰力発生バルブ７をシートする外側シート面１５全周に本発明のチョーク溝１７を設けたが、これに限定されるものではなく、部分的に設けられていても良い。
【００３４】
３）外側シート面１５に設けたチョーク溝１７に連通するポート側連通溝１８と外側連通溝１９の個数及び形状は任意に変更しても良い。
【００３５】
４）本実施の形態では、所謂、内周固定の減衰力発生バルブ構造を示したが、これに限定されるものではなく、所謂、外周固定の減衰力発生バルブ構造に具体化しても良い。
【００３６】
５）本実施の形態では、油圧緩衝器のピストン部に本発明を具体化したが、これに限定されるものではなく、ベースバルブ部に具体化しても良い。
【図面の簡単な説明】
【００３７】
【図１】本発明をピストン部の減衰力発生用バルブ構造に具体化した縦断正面図である。
【図２】図１のピストンの下面側を示す部分拡大底面図である。
【図３】図１のピストンにおいて、伸側シート面とリーフバルブの縦断部分拡大正面図である。
【図４】図１のピストンにおいて、伸側ポート側から見た外側シート面とリーフバルブの一部縦断部分拡大側面図である。
【符号の説明】
【００３８】
５  圧側減衰力発生バルブ
５ａ，５ｂ  リーフバルブ
６  ピストン（バルブボディ）
６ａ  伸側ポート
６ｂ  圧側ポート
７  伸側減衰力発生バルブ
７ａ  同一径のリーフバルブ
７ｂ  小径のリーフバルブ
１５  外側シート面
１６  内側シート面
１７  チョーク溝
１８  ポート側連通溝
１９  外側連通溝
Ｔ  チョーク通路
【図１】
2006144951.tif 000003
【図２】
2006144951.tif 000004
【図３】
2006144951.tif 000005
【図４】
2006144951.tif 000006